(57)【要約】【課題】本発明は、粘板岩スレート等の剥離欠落し易い矩形薄板状体を葺設して構成される建物外面の補修方法及び補修構造に関し、少ない工数・低コストにて施工可能であり、剥離・落下を確実に防止でき、外観保持の観点からも優れた工法を提供することを目的とする。【解決手段】多数のスレート１０が建物壁面を覆うように配置され、各スレート１０は下地フレームに下部取付金具２２及び上部取付金具を使用して取り付けられる。各スレート１０にステンレス鋼線よりなる網より成形された網状カバー部材４０が装着される。上下・左右に隣接する網状カバー部材４０は網状カバー部材４０に固定された連結板42, 44, 46により連結され、建物側壁を被覆する網状物に構成される。網状物はワンタッチ式の連結具５０により下地フレームに連結される。【選択図】  図５
2014055457.tif 000002
【特許請求の範囲】
【請求項１】
建物躯体に連結された多数の矩形薄板より成り、多数の矩形薄板は横方向には間隔をおいて並設され、上下方向には上側前端部と下側後端部とが間隔をおいて重ねられてなる建物外面における要補修部位の補修方法であって、ステンレス鋼材製の網状カバー部材により矩形薄板を個別的に被覆し、隣接する網状カバー部材を相互に連結することにより建物外面の要補修部位を被覆する網状構造物に一体化し、かつ網状構造物を建物躯体に連結したことを特徴とする建物外面の補修方法。
【請求項２】
請求項１に記載の発明において、建物躯体に対する網状構造物への連結のため、横方向において隣接した網状カバー部材の隙間に挿入されることで一端が建物躯体に係合され、他端が網状カバー部材に連結される連結具を使用する補修方法。
【請求項３】
請求項１若しくは２に記載の発明において、前記カバーのためのステンレス鋼材は矩形薄板の色調に応じた所定の色調を呈するように加熱により発色されたステンレス鋼材を使用する補修方法。
【請求項４】
建物躯体に連結された多数の矩形薄板より成り、多数の矩形薄板は横方向には間隔をおいて並設され、上下方向には上側前端縁と下側後端縁とが間隔をおいて重ねられてなる建物外面の要補修部位の補修構造であって、各矩形薄板にその前面側より個別的に装着されるステンレス鋼材製の網状カバー部材より成り、隣接する網状カバー部材を相互に連結することにより建物外面の要補修部を被覆する網状構造物が構成され、横方向に隣接する網状カバー部材間の隙間に挿入され゛網状構造物を建物躯体に連結する連結具を備えたことを特徴とする建物外面の補修構造。
【請求項５】
請求項４に記載の発明において、前記網状カバー部材は幅方向に隣接する網状カバー部材との連結のための第１の連結板と、上方向に隣接する網状カバー部材との連結のための第２の連結板と、下方向に隣接する網状カバー部材との連結のための第３の連結板とを備える建物外面の補修構造。
【請求項６】
請求項５に記載の発明において、前記網状カバー部材は前端及び幅方向の両端は折返し部を備えている建物外面の補修構造。
【請求項７】
請求項４から６のいずれか一項に記載の発明において、前記連結具は、建物躯体との係合部を備えた一対のレバーと、網状構造物への係合部とを備え、連結具は横方向において隣接した網状カバー部材間の隙間より挿入することで建物矩体に対する係合が行われる建物外面の補修構造。
【請求項８】
請求項４から７のいずれか一項に記載の発明において、前記網状カバー部材のためのステンレス鋼材は矩形薄板の色調に応じた所定の色調を呈するように加熱により発色されたステンレス鋼線よりなる建物外面の補修構造。
【発明の詳細な説明】
【技術分野】
【０００１】
この発明は、粘板岩等の天然石を素材とするスレート等の剥離欠落し易い矩形薄板状体を葺設して構成される建物外面の補修方法及びこの方法により実現される建物外面の補修構造に関するものである。
【背景技術】
【０００２】
スレート葺きの建物の屋根や外壁において、スレートと建物躯体とを金具を介して建物躯体に連結する構造となっている。スレートとして粘板岩のような天然素材を採用する場合、スレートは埋め込みボルト及びナットによって金具に連結し、この金具を建物躯体側（金属チャンネル部材）にボルト及びナットにより連結する構造がとられる。このようなスレートと建物躯体とのボルト及びナットによる連結構造はスレートの落下は本来起こらない筈である。ところが、原因は正確には突き止められていないが、粘板岩を構成する何らかの好物の温度変化による膨張・収縮の繰り返しによる素材の疲労が原因と推測されているが、現実にはひび割れや剥離による一部の剥離し落下がみられている。
【０００３】
落下防止のための対策としては、台風に飛散防止のためのものであるが、屋根全体を網で覆う方法が提案されており（特許文献１）、スレート屋根や外壁に応用することは可能である。また、住宅用の板状の屋根材（スレート）のひび割れの対策として、屋根材の一枚一枚を対候性フィルムで覆うものが提案されている（特許文献２）。
【先行技術文献】
【特許文献】
【０００４】
【特許文献１】実開平７−３８３５７号公報
【特許文献２】特開２０１２−５７４２１号公報
【発明の概要】
【発明が解決しようとする課題】
【０００５】
特許文献１による方法は建物の要被覆部位全体を一枚の網で覆う方式であり、足場工事が必要となり、必要工数及び人数が増加する。また、建物の本来の外観を大きく損なう恐れがあり、網を被せているだけなので、風によるバタツキが回避できず、網の維持・管理に相当の困難が伴う。
【０００６】
特許文献２による方法は個々のスレートの補強を行うものであり、建物からの落下対策にはなり得ない。また、スレートの集合としての建物屋根・外壁の全体の強化には役立っていない。
【０００７】
本発明は以上の問題点に鑑みてなされたものであり、少ない工数・低コストにて施工可能であり、剥離・落下を確実に防止でき、外観保持の観点からも優れた工法を提供することを目的とする。
【課題を解決するための手段】
【０００８】
この発明になる、建物躯体に連結された多数の矩形薄板より成り、多数の矩形薄板は横方向には間隔をおいて並設され、上下方向には上側前端部と下側後端部とが間隔をおいて重ねられてなる建物外壁や屋根等の建物外面の要補修部位の補修方法にあっては、矩形薄板はステンレス鋼材製の網状カバー部材により個別的に被覆され、隣接する網状カバー部材を相互に連結することにより建物外面の要補修部位全体を被覆する網状構造物に一体化され、かつ網状構造物は建物躯体に連結されている。
【０００９】
建物躯体に対する網状構造物への連結のため、横方向において隣接した網状カバー部材の隙間に連結具が挿入され、連結具は一端が建物躯体に係合され、他端が網状カバー部材に連結され、これにより網状構造物を建物躯体に一体化することができる。
【００１０】
網状カバー部材を形成するのためのステンレス鋼材は矩形薄板の色調に応じた所定の色調を呈するように加熱により発色されたステンレス鋼材を使用することができる。
【００１１】
本発明は、建物躯体に連結された多数の矩形薄板より成り、多数の矩形薄板は横方向には間隔をおいて並設され、上下方向には上側前端縁と下側後端縁とが間隔をおいて重ねられてなる建物外壁や屋根等の建物外面の要補修部位の補修構造を提供するものであり、この補修構造は、各矩形薄板にその前面側より個別的に装着されるステンレス鋼材製の網状カバー部材より成り、隣接する網状カバー部材を相互に連結することにより建物外面の要補修部位を被覆する網状構造物が構成され、横方向に隣接する網状カバー部材間の隙間に挿入され、網状構造物を建物躯体に連結する連結具を備えている。網状カバー部材は横方向及び上下方向に隣接する網状カバー部材との連結のための連結板とを備えており、連結板をタップネジなどにより連結することにより一体の網状構造物に形成することができる。また、スレート間の隙間部位からの剥離・落下対策として網状カバー部材は前端及び幅方向の両端は折返し部を備えている。
【００１２】
網状構造物を建物躯体に連結するための連結具は、建物躯体との係合部を備えた一対のレバーと、網状構造物への係合部とを備え、連結具は横方向において隣接した網状カバー部材間の隙間より挿入することで建物矩体に対する"ワンタッチ"での係合が行われる。
【発明の効果】
【００１３】
建物外面を構成する多数のスレート等の矩形薄板を個別的にステンレス鋼材製の網状カバー部材により被覆し、隣接する網状カバー部材を相互に連結することにより建物外面の要補修部位全体を被覆する網状構造物に構成している。そのため、個々のスレート等の剥離・落下を確実に防止可能である。
【００１４】
網状カバー部材は一個一個は超軽量であり、網状カバー部材単位で施工できるため、足場工事が不要であり、施工工数、施工人数の大幅削減が可能である。
【００１５】
網状カバー部材は個々に取り付け取り外しが可能であるため保守性が良好であり、メッシュを適当な大きさにしかつステンレス鋼材の素材として加熱発色したものを使用することにより補修対象物であるススレート等の色調に適合させることで、建物本来の外観・意匠を殆ど損なうことなく補修が可能となる。
【図面の簡単な説明】
【００１６】
【図１】図１はこの発明の補修方法が適用される建物側壁面における下地フレームに対するスレートの配置及び連結構造を説明する縦断面図である。
【図２】図２は図１の構造においてスレートの左右・上下の相互配置を模式的に示す斜視図である。
【図３】図３はスレートを個々に被覆する網状カバー部材の上から見た斜視図である。
【図４】図４は図３の網状カバー部材を上下反転させ、下から見た斜視図である。
【図５】図５は図２のと同様であるが、個々のスレートに対する網状カバー部材の装着の過程を説明する模式的斜視図である。
【図６】図６は図１と同様な断面図（図５のVI−VI線に沿った断面図）であるが、個々のスレートに対し網状カバー部材を被覆しかつワンタッチ式の連結具を横胴に装着した状態を示す。
【発明を実施するための形態】
【００１７】
図１はこの発明の補修方法が適用される建物の垂直から少し傾斜した壁面（側壁面）を縦断面にて示している。この建物は船体を模した巨大なもので、建物側壁面には全面にスレート１０（この発明の矩形薄板）が葺設されており、スレート１０は粘板岩より切り出されたものであり、スレート１０はこの建物の例では一枚が６０×４５ｃｍの大きさで重さ約２５ｋｇである。図２はスレート１０の葺設状態を模式的に示す斜視図であり、多数のスレート１０は横方向には幾分の間隔ａをおいて並設され、上下方向（図１）には上側前端部と下側後端部とが幾分の間隔ｂをおいて重ねられ、かつ上下段ではスレート幅半分ずれた千鳥配置となっており、その結果、建物側壁面にスレート１０をうろこ様又はかわら様に配列した構造となっている。
【００１８】
多数のスレート１０を支持する下地フレーム１１はチャンネル状の鋼材から成る縦胴１２と横胴１４とから成る。縦胴１２と横胴１４とは交差部位においてボルト１６及びナット１８及びＬ型金具２０（横胴１４に溶接される）によって連結されている。縦胴１２は横方向（水平方向）に適当な間隔をおいて設けられ、縦胴１４はスレート１０の一段毎に図１の紙面に直交する方向に設置される。縦胴１２と横胴１４とからなる下地フレーム１１の構造については図２にも模式的に表されている。下地フレーム１１は内側（スレート１０と離間側）は図示しない３層といった防水層を介して建物の鉄骨下地（矩体）にボルト及びナットにより連結されている。
【００１９】
次に、下地フレーム１１に対するスレート１０の連結構造について説明すると、下地フレーム１１に対するスレート１０の連結は各スレート１０の下面に設けた下部取付金具２２及び上部取付金具２４により行われる。下部取付金具２２は浅い段の付いた断面形状（図１）の所謂稲妻プレートであり、図２に模式的に示すように下部取付金具２２は各スレート１０の下面において横方向に延びている。一方、上部取付金具２４は各スレート１０の下面に一対設けられ（図２に模式的に示す）、かつ幾分上向きに曲折された下端部24-2には縦方向のスリット孔２６が設けられ、このスリット孔２６に下段側スレート１０を貫通されたロッキングボルト２８の下端が通され、スリット孔２６から突出するロッキングボルト２８のねじ部にロック用のナット３０が螺合され、スレート１０に対する上部取付金具２４の取り付けが行われる。図1に示すように上部取付金具２４は深い段の付いた断面形状をなし、中央部がリベット３２等によって上段側スレート１０の下方の横胴１４の上面に固定される。下部取付金具２２のためのフィッシャーアンカー３４がスレート１０の下面に取り付けられ、図２に模式的に示すように、フィッシャーアンカー３４は各スレート１０に横方向に離間して一対設けられ、図１に示すようにフィッシャーアンカー３４には下部取付金具２２がスペーサ３６を介して装着され、ナット３８によって螺合締結される。下段側のスレート１０の上部取付金具２４はその上端24-1が下部取付金具２２の下端22-1とスレート１０の下面との間の袋状空間３９に挿入され、この挿入構造によりスレート１０の横方法のスライドが可能な仕組みとなっている。図２に示すように上下に隣接するスレート１０は横方向の位置が半分程ずれており、図の中央の一枚のスレートの下面における一個の下部取付金具２２は下段側に隣接する２枚のスレートの夫々の片側から延びる上部取付金具２４連結され、その一枚のスレートの下面における二個の上部取付金具２４は上段側に隣接する２枚のスレート１０（の下部取付金具２２）に向け延びており、このようにして建物側壁面にスレート１０をうろこ様又はかわら様に配列した構造が得られる。
【００２０】
以上説明した建物側壁面へのスレート１０の配置構造において、各スレート１０は、上側では２箇所において上段側に隣接するスレート１０に連結され、下側でも２箇所において下段側に隣接するスレート１０に連結され、換言すれば各スレート１０の下地フレームに対する固定は四箇所において行われている。そのため、スレート１０は機構的には強固な取付構造となってはいる。しかしながら、スレート１０を構成する粘板岩はそれを構成する何らかの鉱物の温度変化による膨張・収縮の繰り返しによる素材の疲労がその原因と推定されているが、現実にはひび割れや剥離による一部の剥離し落下がおき得るため、本発明はこの対策のための補修構造を提供するものであり、以下これについて説明する。
【００２１】
図３において、４０はスレートの個別的な被覆を行う網状カバー部材を示しており、網状カバー部材４０は、ステンレス鋼線網を一枚のスレート１０を外部から丁度被覆し得る大きに形成して構成される。ステンレス鋼線網からなる網状カバー部材４０は、そのメッシュの大きさを適当に大きくしかつ鋼線の太さを適当に細く設定することにより、スレートの葺設構造による建物屋根若しくは壁面の外観を損なうことがないようにすることが可能である。このための、ステンレス鋼線網はその孔の大きさは４〜１０mmメッシュの範囲が好適であり、鋼線の太さは０．３〜０．７ｍｍの範囲が好適である。更に、網を構成するステンレス線は熱処理により発色させたものとするのが好ましい。即ち、ステンレス鋼は熱処理温度により所望の色調（所謂テンパーカラー）を持たせることができ、その色調をスレートを構成する粘板岩の色調と適合するように適正な熱処理温度を設定することにより、建物の外観・意匠に対する補修の影響の一層の軽減が可能である。
【００２２】
網状カバー部材４０の具体的な形状について説明すると、網状カバー部材４０はステンレス鋼線よりなる網素材を矩形籠形状に形成して構成される。図３に示すように、網状カバー部材４０は上面、全面及び両側面では閉じているが、図４に示すように後面及び底面は開放しており、唯、底面における前部及び側部に幾分の返し部分40-1が設けられる。この返し部分40-1の幅はスレート１０の間の横方向の隙間ａ及びｂに相当した大きさとなっており、隙間ａ及びｂの部分からも起こり得る比較的小さなスレート片の剥離に対処することができる。網状カバー部材４０はその前面における両側に前面と面一に前側部連結板４２（本発明の第１の連結板）、その上面と面一にかつ後面から幾分離間した部位に後部連結板４４（本発明の第２の連結板）、また前面における中央部位に底面と面一に前部連結板４６（本発明の第３の連結板）を備える。これらの連結板42, 44, 46はステンレス薄肉鋼板にて形成され、前側部連結板４２及び後部連結板４４は網状カバー部材４０に溶接やリベット止め等の適当な手段により固定される。前部連結板４６については網状カバー部材４０に対してはフリーであり、図４に示すように端部が折り返し部46-1を形成しており、折り返し部46-1は網状カバー部材４０の前面における返し部分40-1に掛装されており、スレート１０に網状カバー部材４０を装着後の前部連結板４６の位置を左右（矢印ｆ）に幾分調節することができ、隣接する網状カバー部材４０をタップねじで一体化するときの位置調整を行うことができる。そして、連結板42, 44, 46はタップねじを装着するためのねじ孔42A, 44A, 46Aを穿設している。この実施形態においては、網状カバー部材４０はステンレス網から形成したものとしているが、ステンレス板よりなる枠体にステンレス網を張設するような構造も可能である。
【００２３】
図５は図２に示す既存のスレート配置において本発明による補修がどのように行われるかを説明するものである。網状カバー部材４０はスレート１０に前方より一枚一枚に挿入（矢印ｈ）することで装着される。図１に示すように各スレート１０の上面にはロッキングボルト２８の頭部28-1が飛び出しているが、網状カバー部材４０はこれと干渉しないような余裕の内寸のものとすることができるが、必要あれば頭部28-1を避けるような切欠を網状カバー部材４０の上面に形成することもできる。この例では上のスレートの段から順次下のスレートの段に網状カバー部材４０の装着が行われる。横方向に隣接する網状カバー部材４０間は連結板４２同士がビス孔４２Ａが一致するように重ね合わせ、タップねじ４８により締結が行われる。上下の網状カバー部材４０間については、スレート同士は千鳥配列であるため、上段側の網状カバー部材４０の中間に位置する前部連結板４６に下段側の網状カバー部材４０の片側の後部連結板４４が重ねられ、ねじ孔（下孔）46A, 44Aにタップねじ４９を螺合することにより締結が行われる。このようにして上下左右の網状カバー部材４０の一体連結が行われることにより、スレートの葺設構造よりなる建物の外壁を被覆する本発明の網状構造物に構成される。
【００２４】
網状カバー部材４０を上下・左右で連結することで、構成される本発明の網状構造物の建物躯体への連結は既存の下地フレーム１１を利用して行われる。即ち、網状カバー部材４０の一個一個の重量は記述のように２００ｇ程度であり、スレート一枚の重量２５ｋｇと比較して圧倒的に軽量であり、この網状カバー部材４０に対する網状カバー部材４０の装着は既設の下地フレーム１１に対する実質的負担にならないと考えることができる。図５において、５０は、下地フレーム１１に対する連結のためのワンタッチ式の連結具５０を示す。ワンタッチ式の連結具５０はステンレス鋼板よりなる第１、第２の係止レバー52, 54を備え、第１のレバー５２は真直ぐな形状をなすが、第２のレバー５４はアングル形状をなす。第１、第２の係止レバー52, 54は中間がピン５６によってフリーに枢着され、ピン５６を中心にして第１、第２の係止レバー52, 54は回動可能である。第１、第２の係止レバー52, 54は下端に互いに向き合う方向に突出した係止部52-1, 54-1を有しており、係止部52-1, 54-1の下面はカム面52A, 54Aを呈している。第１の係止レバー５２の上端には延長板５８が溶接固定され、延長板５８の前端が固定板部58-1を形成する。尚、網状カバー部材４０同士の連結にタップねじの代わりにリベットを使用することができ、簡便には針金による連結とか差し込み構造とか、適当なものを採用することも可能である。
【００２５】
ワンタッチ式の連結具５０の装着は横方向において隣接するスレートを被覆したカバー間の隙間（図５でＳにて示す）に挿入（矢印ｊ）することにより行う。即ち、ワンタッチ式の連結具５０の横胴１４への装着過程（図６）において、第１、第２の係止レバー52, 54の下端カム面52A, 54Aは最初は横胴１４の上面におけるコーナー部１４Ａに当接し、更に深く挿入してことにより第１、第２の係止レバー52, 54は拡開され、コーナー部１４Ａを乗り越え、最終的には第１、第２の係止レバー52, 54の先端の係止部52-1, 54-1が横胴１４の下面におけるコーナー部１４Ｂに係合した図６の状態を取るに至る。網状カバー部材４０の重量は図６の配置では第２の係止レバー５４により横胴１４に受け止められるが、第２の係止レバー５４はピン５６への枢着構造であり、上死点をより右側に外れる形状になっており時計方向のモーメントが加わるため、一旦係止部54-1が横胴のコーナー部１４Ｂに係合した状態をとるとこの状態が維持される。他方、第１係止レバー５２は上側における延長板５８の前端における固定板部58-1が網状カバー部材４０の前面に対向位置され、下端の係止部52-1も横胴のコーナー部１４Ｂへの係合は維持される。即ち、第１、第２の係止レバー52, 54は横胴１４をその外周全面に沿接包囲しており、連結具５０による横胴１４の保持を確実に行うことができる。そして、横方向に隣接する網状カバー部材４０の連結を行うタップねじ４８は連結板４２のねじ孔４２Ａに加えて固定板部58-1のねじ孔５８Ａにも共締めされている（図６参照）。このようにして、横胴に対する網状カバー部材４０、ひいては上下・左右の網状カバー部材４０を連結してなる網状物の横胴１４に対する連結が行われ、横胴１４へのワンタッチ式の連結具５０の係合（掛止）状態は外れることなく維持され、網状カバー部材４０の連接よりなる網状物を下地フレームに確実に保持することができる。網状カバー部材４０は一つ一つは超軽量であるため、ワンタッチ式の連結具５０は横方向において網状カバー部材４０間の隙間全てに使用する必要はなく、適当な間を空けて使用することをもって足りる。
【００２６】
ワンタッチ式の連結具５０の変形実施形態として、第１、第２の係止レバー52, 54を横胴の上方に幾分の空間部ができる形状とし、この空間部における第１、第２の係止レバーの間に引っ張りスプリングを設置した構成とすることができる。この変形実施形態の場合横胴への装着はスプリングに抗して第１、第２の係止レバーを拡開させて行い、装着後は第１、第２の係止レバーは横同に対し弾性下で係合され、より強固が係合状態を確保することができる。
【００２７】
本発明においては、建物外面の補修のための網状物は網状カバー部材４０の上下・左右の連接で構成されており、ねじの解除により個々の網状カバー部材４０に外すことができるためその維持管理が容易である。
【符号の説明】
【００２８】
１０…スレート
１１…下地フレーム
１２…縦胴
１４…横胴
２２…下部取付金具
２４…上部取付金具
２８…ロッキングボルト
３４…フィッシャーアンカー
４０…網状カバー部材
42, 44, 46…連結板
48, 49…タップねじ
５０…ワンタッチ式の連結具
52, 54…係止レバー
５６…ピン
【図１】
2014055457.tif 000003
【図２】
2014055457.tif 000004
【図３】
2014055457.tif 000005
【図４】
2014055457.tif 000006
【図５】
2014055457.tif 000007
【図６】
2014055457.tif 000008